【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
バックボーン・エッジ・ブリッジのＩコンポーネント（１３）上のプロバイダ・インスタンス・ポート（ＰＩＰ）（１４）へ登録された、又は前記バックボーン・エッジ・ブリッジのＢコンポーネント上の加入者バックボーン・ポートへ登録された高レイヤ・エンティティ（１１ａ，１１ｂ，２２）からのフレームを、プロバイダ・バックボーン・ブリッジ・ネットワーク（ＰＢＢＮ）内の対象とするエンティティへ到達させる、前記ＰＢＢＮのプロバイダ・バックボーン・ブリッジにおいて制御フレームを処理する方法であって、
前記Ｉコンポーネント（１３）上に設定された全てのＶＩＰ及び全ての高レイヤ・エンティティ（１１ａ，１１ｂ，２２）に対して、仮想インスタンス・ポート・サービス・アクセス・ポイント（ＶＩＰ ＳＡＰ）（１０）を設定するステップと、
加入者によって開始されたレイヤ２制御プロトコル（Ｌ２ＣＰ）をトンネリングするために、前記ＶＩＰ ＳＡＰを利用するステップと、
前記高レイヤ・エンティティのフレームに対して、前記Ｌ２ＣＰを識別するために一般に認識されたサービス・インスタンスＩＤ（Ｉ−ＳＩＤ）値を有する専用多重化ＳＡＰ（２１）を設定するステップと、
前記ＰＩＰ（１４）又は前記加入者バックボーン・ポートと、前記ＰＢＢＮ内の前記エンティティとの間でフレームを転送するために、前記専用多重化ＳＡＰ（２１）を利用するステップと
を含むことを特徴とする方法。
【請求項２】
前記専用多重化ＳＡＰを設定する前記ステップは、
専用のＩ−ＳＩＤ値を前記専用多重化ＳＡＰに対して割り当てるステップを含むことを特徴とする請求項１に記載の方法。
【請求項３】
加入者によって開始されたＬ２ＣＰをトンネリングするために、前記ＶＩＰ ＳＡＰを利用する前記ステップは、
前記ＰＩＰによって送信開始され、かつ、前記ＰＢＢＮの反対側に位置する加入者ネットワークに到達することを要する、前記高レイヤ・エンティティの前記フレームをカプセル化するステップと、
前記ＶＩＰを宛先とした各フレームの複数のコピーであって、各ブリッジ・ポートによって提供される機能強化された内部サブレイヤ・サービス（ＥＩＳＳ）に対して提供される１つのコピーと、前記ＶＩＰに登録された高レイヤ・エンティティの各々に対して提供される１つのコピーとを含む前記複数のコピーを提供するステップと
を含むことを特徴とする請求項１に記載の方法。
【請求項４】
加入者によって開始されたＬ２ＣＰをトンネリングするために、前記ＶＩＰ ＳＡＰを利用する前記ステップは、
前記ＰＩＰに対するＶＩＰ ＥＩＳＳ用アクセス・ポイントからの指示を、機能強化されたＶＩＰポート接続機能部によって受信するステップと、
前記指示に応じて、ＭＡＣ中継エンティティをサポートするＶＩＰ ＥＩＳＳ、及び前記高レイヤ・エンティティをサポートする前記ＶＩＰ ＳＡＰにおいて同一のパラメータを有する対応する指示を、前記機能強化されたＶＩＰポート接続機能部によって提供するステップと
をさらに含むこと特徴とする請求項３に記載の方法。
【請求項５】
加入者によって開始されたＬ２ＣＰをトンネリングするために、前記ＶＩＰ ＳＡＰを利用する前記ステップは、
ＭＡＣ中継エンティティをサポートする前記ＶＩＰ ＥＩＳＳからの要求を、前記機能強化されたＶＩＰポート接続機能部によって受信するステップと、
前記要求に応じて、
前記高レイヤ・エンティティをサポートする前記ＶＩＰ ＳＡＰにおいて同一のパラメータを有する対応する指示を、前記機能強化されたＶＩＰポート接続機能部によって提供するステップと、
前記ＰＩＰに対する前記ＶＩＰ ＥＩＳＳ用アクセス・ポイントにおいて同一のパラメータを有する対応する要求を、前記機能強化されたＶＩＰポート接続機能部によって提供するステップと
をさらに含むこと特徴とする請求項４に記載の方法。
【請求項６】
加入者によって開始されたＬ２ＣＰをトンネリングするために、前記ＶＩＰ ＳＡＰを利用する前記ステップは、
前記高レイヤ・エンティティをサポートする前記ＶＩＰ ＳＡＰからの要求を、前記機能強化されたＶＩＰポート接続機能部によって受信するステップと、
前記要求に応じて、
前記ＭＡＣ中継エンティティに対する前記ＥＩＳＳ用アクセス・ポイントにおいて同一のパラメータを有する対応する指示を、前記機能強化されたＶＩＰポート接続機能部によって提供するステップと、
他の高レイヤ・エンティティをサポートする任意のＶＩＰ ＳＡＰにおいて同一のパラメータを有する対応する指示を、前記機能強化されたＶＩＰポート接続機能部によって提供するステップと、
ローカル・エリア・ネットワーク（ＬＡＮ）に対するアクセス・ポイントにおいて同一のパラメータを有する対応する要求を、前記機能強化されたＶＩＰポート接続機能部によって提供するステップと
をさらに含むこと特徴とする請求項５に記載の方法。
【請求項７】
フレームを転送するために前記専用多重化ＳＡＰを利用する前記ステップは、
内部サブレイヤ・サービス（ＩＳＳ）ＳＡＰからの指示を、サービス・インスタンス多重エンティティによって受信するステップと、
mac_service_data_unitパラメータの初期オクテットが有効なサービス・インスタンス・タグ・ヘッダを含むか否かを、前記サービス・インスタンス多重エンティティによって判定するステップとを含み、
前記初期オクテットが有効なサービス・インスタンス・タグ・ヘッダを含む場合には、
前記mac_service_data_unitパラメータから当該タグ・ヘッダを除去するステップと、
Ｌ２ＣＰ ＳＡＰに対して前記指示を提供するステップとをさらに含み、
前記初期オクテットが有効なサービス・インスタンス・タグ・ヘッダを含まない場合には、
前記指示を変更せずにＰＩＰ ＩＳＳ ＳＡＰに提供するステップをさらに含むことを特徴とする請求項１に記載の方法。
【請求項８】
フレームを転送するために前記専用多重化ＳＡＰを利用する前記ステップは、
前記Ｌ２ＣＰ ＳＡＰからの要求を、前記サービス・インスタンス多重エンティティによって受信するステップと、
前記専用多重化ＳＡＰに対して割り当てられた前記Ｉ−ＳＩＤ値を使用して、ショート・サービス・インスタンス・タグ・ヘッダを先頭に付加することによって、前記mac_service_data_unitパラメータを変更するステップと、
前記サービス・インスタンス多重エンティティの前記ＩＳＳ ＳＡＰに対して前記要求を提供するステップと
をさらに含むことを特徴とする請求項７に記載の方法。
【請求項９】
フレームを転送するために前記専用多重化ＳＡＰを利用する前記ステップは、
前記ＰＩＰ ＩＳＳ ＳＡＰからの要求又は指示を、前記サービス・インスタンス多重エンティティによって受信するステップと、
前記要求又は指示を変更せずに前記ＩＳＳ ＳＡＰに対して提供するステップと
をさらに含む特徴とする請求項８に記載の方法。
【請求項１０】
バックボーン・エッジ・ブリッジのＩコンポーネント（１３）上のプロバイダ・インスタンス・ポート（ＰＩＰ）（１４）へ登録された、又は前記バックボーン・エッジ・ブリッジのＢコンポーネント上の加入者バックボーン・ポートへ登録された高レイヤ・エンティティ（１１ａ，１１ｂ，２２）からのフレームを、プロバイダ・バックボーン・ブリッジ・ネットワーク（ＰＢＢＮ）内の対象とするエンティティへ到達させる、前記ＰＢＢＮにおけるブリッジであって、
前記Ｉコンポーネント（１３）上に設定された全てのＶＩＰ及び全ての高レイヤ・エンティティ（１１ａ，１１ｂ，２２）に対して設定される仮想インスタンス・ポート・サービス・アクセス・ポイント（ＶＩＰ ＳＡＰ）（１０）と、
加入者によって開始されたレイヤ２制御プロトコル（Ｌ２ＣＰ）をトンネリングするために、前記ＶＩＰ ＳＡＰ（１０）を利用する、機能強化されたＶＩＰポート接続機能部（１２）と、
前記Ｌ２ＣＰを識別するために一般に認識されたサービス・インスタンスＩＤ（Ｉ−ＳＩＤ）値を有する専用多重化ＳＡＰ（２１）であって、前記高レイヤ・エンティティのフレームを処理する前記専用多重化ＳＡＰと、
前記ＰＩＰ（１４）又は前記加入者バックボーン・ポートと、前記ＰＢＢＮ内の前記エンティティとの間でフレームを転送するために、前記専用多重化ＳＡＰ（２１）を利用するサービス・インスタンス多重エンティティ（２４）と
を備えることを特徴とするブリッジ。
【請求項１１】
前記専用多重化ＳＡＰは、専用のＩ−ＳＩＤ値を割り当てられることを特徴とする請求項１０に記載のブリッジ。
【請求項１２】
前記機能強化されたＶＩＰポート接続機能部は、
前記ＰＩＰによって送信開始され、かつ、前記ＰＢＢＮの反対側に位置する加入者ネットワークに到達することを要する、前記高レイヤ・エンティティの前記フレームをカプセル化する手段と、
前記ＶＩＰを宛先とした各フレームの複数のコピーであって、各ブリッジ・ポートによって提供される機能強化された内部サブレイヤ・サービス（ＥＩＳＳ）に対して提供される１つのコピーと、前記ＶＩＰに登録された高レイヤ・エンティティの各々に対して提供される１つのコピーとを含む前記複数のコピーを提供する手段と
を備えることを特徴とする請求項１０に記載のブリッジ。
【請求項１３】
前記機能強化されたＶＩＰポート接続機能部は、
前記ＰＩＰに対するＶＩＰ ＥＩＳＳ用アクセス・ポイントからの指示を受信する手段と、
前記指示に応じて、ＭＡＣ中継エンティティをサポートするＶＩＰ ＥＩＳＳ、及び前記高レイヤ・エンティティをサポートするＶＩＰ ＳＡＰにおいて同一のパラメータを有する対応する指示を提供する手段と
をさらに備えることを特徴とする請求項１２に記載のブリッジ。
【請求項１４】
前記機能強化されたＶＩＰポート接続機能部は、
ＭＡＣ中継エンティティをサポートする前記ＶＩＰ ＥＩＳＳからの要求を受信する手段と、
前記要求に応じて、
前記高レイヤ・エンティティをサポートする前記ＶＩＰ ＳＡＰにおいて同一のパラメータを有する対応する指示を提供し、かつ、
前記ＰＩＰに対する前記ＶＩＰ ＥＩＳＳ用アクセス・ポイントにおいて同一のパラメータを有する対応する要求を提供する手段と
をさらに備えることを特徴とする請求項１２に記載のブリッジ。
【請求項１５】
前記機能強化されたＶＩＰポート接続機能部は、
前記高レイヤ・エンティティをサポートする前記ＶＩＰ ＳＡＰからの要求を受信する手段と、
前記要求に応じて、
前記ＭＡＣ中継エンティティに対する前記ＥＩＳＳ用アクセス・ポイントにおいて同一のパラメータを有する対応する指示を提供し、かつ、
他の高レイヤ・エンティティをサポートする任意のＶＩＰ ＳＡＰにおいて同一のパラメータを有する対応する指示を提供し、かつ、
ローカル・エリア・ネットワーク（ＬＡＮ）に対するアクセス・ポイントにおいて同一のパラメータを有する対応する要求を提供する手段と
をさらに備えることを特徴とする請求項１２に記載のブリッジ。
【請求項１６】
前記サービス・インスタンス多重エンティティは、
内部サブレイヤ・サービス（ＩＳＳ）ＳＡＰからの指示を受信する手段と、
mac_service_data_unitパラメータの初期オクテットが有効なサービス・インスタンス・タグ・ヘッダを含むか否かを判定する手段とを備え、
前記初期オクテットが有効なサービス・インスタンス・タグ・ヘッダを含むという判定に応じて、前記mac_service_data_unitパラメータから当該タグ・ヘッダを除去し、かつ、Ｌ２ＣＰ ＳＡＰに対して前記指示を提供する手段と、
前記初期オクテットが有効なサービス・インスタンス・タグ・ヘッダを含まないという判定に応じて、前記指示を変更せずにＰＩＰ ＩＳＳ ＳＡＰに提供する手段とをさらに備えることを特徴とする請求項１０に記載のブリッジ。
【請求項１７】
前記サービス・インスタンス多重エンティティは、
前記Ｌ２ＣＰ ＳＡＰからの要求を受信する手段と、
前記専用多重化ＳＡＰに対して割り当てられた前記Ｉ−ＳＩＤ値を使用して、ショート・サービス・インスタンス・タグ・ヘッダを先頭に付加することによって、前記mac_service_data_unitパラメータを変更する手段と、
前記サービス・インスタンス多重エンティティの前記ＩＳＳ ＳＡＰに対して前記要求を提供する手段と
をさらに備えることを特徴とする請求項１０に記載のブリッジ。
【請求項１８】
前記サービス・インスタンス多重エンティティは、
前記ＰＩＰ ＩＳＳ ＳＡＰからの要求又は指示を受信する手段と、
前記要求又は指示を変更せずに前記ＩＳＳ ＳＡＰに対して提供する手段と
を備えることを特徴とする請求項１０に記載のブリッジ。
【請求項１９】
バックボーン・エッジ・ブリッジのＩコンポーネント（１３）上のプロバイダ・インスタンス・ポート（ＰＩＰ）（１４）へ登録された、又は前記バックボーン・エッジ・ブリッジのＢコンポーネント上の加入者バックボーン・ポートへ登録された高レイヤ・エンティティ（１１ａ，１１ｂ，２２）からのフレームを、プロバイダ・バックボーン・ブリッジ・ネットワーク（ＰＢＢＮ）内の対象とするエンティティへ到達させる、前記ＰＢＢＮにおけるシステムであって、
相互に接続された複数のブリッジを備え、
前記複数のブリッジのそれぞれは、
少なくとも２つのポートと、
前記ブリッジの前記ポートを相互に接続するメディア・アクセス制御（ＭＡＣ）中継エンティティと、
少なくとも１つの高レイヤ・エンティティ（１１ａ，１１ｂ，２２）と、
前記Ｉコンポーネント（１３）上に設定された全てのＶＩＰ及び全ての高レイヤ・エンティティ（１１ａ，１１ｂ，２２）に対して設定される仮想インスタンス・ポート・サービス・アクセス・ポイント（ＶＩＰ ＳＡＰ）（１０）と、
加入者によって開始されたレイヤ２制御プロトコル（Ｌ２ＣＰ）をトンネリングするために、前記ＶＩＰ ＳＡＰ（１０）を利用する、機能強化されたＶＩＰポート接続機能部（１２）と、
前記Ｌ２ＣＰを識別するために一般に認識されたサービス・インスタンスＩＤ（Ｉ−ＳＩＤ）値を有する専用多重化ＳＡＰ（２１）であって、前記高レイヤ・エンティティのフレームを処理する前記専用多重化ＳＡＰと、
前記ＰＩＰ（１４）又は前記加入者バックボーン・ポートと、前記ＰＢＢＮ内の前記エンティティとの間でフレームを転送するために、前記専用多重化ＳＡＰ（２１）を利用するサービス・インスタンス多重エンティティ（２４）と
を備えることを特徴とするシステム。